(57)【要約】【課題】パネル体がフラットな状態に閉扉することができ、簡便に開閉することができようにしたパネル体の開閉機構および引き違い戸を提供する。【解決手段】一定の間隔を空けて配置される一対の転動体１０，１０と、該一対の転動体１０，１０の転動によって往復動する可動駒２０と、一対の転動体１０，１０を転動自在に連結する連結体３０と、可動駒２０に取り付けられた滑動体４０とを備えているパネル体の開閉機構が、幅方向にスライドする一対のパネル体５０ａ，５０ｂと、該一対のパネル体５０ａ，５０ｂの上下各端面から一定の間隔を空けて配置されるガイドレール６０とに挟まれている。各パネル体５０ａ，５０ｂの端面上に各転動体１０が移動可能にセットされ、前記滑動体４０がガイドレール６０に当接している。パネル体の開閉機構は、スライドするパネル体５０ａ，５０ｂに追従するようにされている。【選択図】図５
2008075264.tif 000002
【特許請求の範囲】
【請求項１】
一定の間隔を空けて配置される一対の転動体と、
該一対の転動体の転動によって往復動する可動駒と、
前記一対の転動体を転動自在に連結する連結体と、
前記可動駒に取り付けられた滑動体とが備えられていることを特徴とするパネル体の開閉機構。
【請求項２】
前記可動駒の両側面には、ラックが形成され、かつ、前記一対の転動体には、該ラックと噛合するピニオンが形成されていることを特徴とする請求項１に記載のパネル体の開閉機構。
【請求項３】
前記連結体は、前記可動駒を移動可能に嵌め込む枠状の中間部と、該中間部から各転動体の方へ突出した膨出部と、該膨出部と前記転動体とを連結するピンとを備えていることを特徴とする請求項１または２に記載のパネル体の開閉機構。
【請求項４】
前記滑動体は、前記可動駒の往復動方向に回転するローラであることを特徴とする請求項１から３のいずれか一つに記載のパネル体の開閉機構。
【請求項５】
請求項１ないし４のいずれか一つに記載のパネル体の開閉機構が、幅方向にスライドし、重なり合った状態と直列に並んだ状態とに開閉自在にスライドする一対のパネル体と、該一対のパネル体の上下各端面から一定の間隔を空けて配置されるガイドレールとに挟まれている引き違い戸であって、
前記パネル体の開閉機構がスライドするパネル体に追従し、かつ、前記滑動体がガイドレールに当接しながら、前記転動体がパネル体の端面上を移動することができるようにセットされていることを特徴とする引き違い戸。
【請求項６】
前記パネル体の端面には、前記転動体の回転軸に挿入されたピンが係入する直線状の溝が形成されていることを特徴とする請求項５に記載の引き違い戸。
【請求項７】
前記各転動体には、前記直線状の溝内に係入する突起が突設され、前記パネル体の端面には、該突起が係入し、かつ、転動体が公転することによって円弧状に移動する突起の軌跡と一致する円弧状の溝が形成されていることを特徴とする請求項６に記載の引き違い戸。
【請求項８】
前記ガイドレールには、前記パネル体の開閉機構に備えられた滑動体が係入する溝が形成されていることを特徴とする請求項５ないし７のいずれか一つに記載の引き違い戸。
【請求項９】
前記パネル体の外側端部には、ガイドレールに当接する滑動体が取り付けられていることを特徴とする請求項５ないし８のいずれか一つに記載の引き違い戸。
【請求項１０】
前記パネル体の外側端部には、転動体を衝止するストッパが設けられていることを特徴とする請求項５ないし９のいずれか一つに記載の引き違い戸。
【請求項１１】
前記転動体には、前記可動駒と反対方向に突出した回り止め部が設けられ、前記ガイドレールには、該回り止め部を衝止する衝止部が設けられていることを特徴とする請求項５ないし１０のいずれか一つに記載の引き違い戸。
【請求項１２】
前記パネル体の開閉機構は、パネル体および／またはガイドレールの周囲から突出した周壁部によって遮蔽されていることを特徴とする請求項５ないし１１のいずれか一つに記載の引き違い戸。
【発明の詳細な説明】
【技術分野】
【０００１】
本発明は、一対のパネル体がそれぞれ幅方向にスライドすることによって開閉する引き違い戸、および、引き違い戸などに備えられた一対のパネル体を連結し、一方のパネル体が他方のパネル体に沿ってスムーズにスライドするようにするためのパネル体の開閉機構に関する。
【背景技術】
【０００２】
引き違い戸は、玄関ドアや室内ドアなどの各種ドア、あるいはクローゼット、食器棚、書庫などに備えられている扉などとして使用されているが、いずれも、一対（２枚）のパネル体が上下のガイドレールに挟まれ、それぞれが幅方向にスライドすることによって開閉するようにされている。このような引き違い戸は、両開き戸のようにパネル体が手前に開かれないため、狭い空間に設置することができるだけでなく、大地震などが起きたときに、パネル体が勝手に開扉することもない。
【０００３】
なお、レールに沿ってスライドするスライド扉と、当該スライド扉に設けられた回転部材を用いて回転する回転扉とを一対具備した扉開閉機構が特許文献１に開示されている。この扉開閉機構によれば、回転扉の回転半径が短くされることにより、扉開放時における後退距離を短くすることができ、また、開放した回転扉がスライド扉とともに平行移動することにより、任意の場所に扉の開口部を設けることができる。
【０００４】
【特許文献１】特開２００２−２９５１３６号公報
【発明の開示】
【発明が解決しようとする課題】
【０００５】
従来の引き違い戸は、一般的に、手前側のパネル体が奥側のパネル体の表面に沿ってスライドし、奥側のパネル体が手前側のパネル体の裏面に沿ってスライドするため、手前側のパネル体と奥側のパネル体とは段違いに閉扉され、開き戸のようにフラットに閉扉されない。したがって、従来の引き違い戸は、デザインが見劣りするだけでなく、開扉された奥側のパネル体を閉扉しにくいという不具合がある。
【０００６】
また、特許文献１に開示された扉開閉機構は、スライド扉と回転扉とがフラットな状態に閉扉されるものの、完全に開扉するためには、２枚の回転扉を開扉し、一方のスライド扉を他方のスライド扉の方へスライドさせなければならず、二度手間となる。
【０００７】
そこで、本発明は、パネル体がフラットな状態に閉扉することができ、しかも、簡便に開閉することができようにしたパネル体の開閉機構およびこのパネル体の開閉機構を備えた引き違い戸を提供することを課題とする。
【課題を解決するための手段】
【０００８】
本発明に係るパネル体の開閉機構は、一定の間隔を空けて配置される一対の転動体と、該一対の転動体の転動によって往復動する可動駒と、前記一対の転動体を転動自在に連結する連結体と、前記可動駒に取り付けられた滑動体とが備えられていることを特徴としている。
【０００９】
このパネル体の開閉機構は、例えば、一対のパネル体のそれぞれが幅方向にスライドすることによって開閉する引き違い戸に備えられる。詳しくは、パネル体の開閉機構は、一対のパネル体が閉扉された状態において近接して対峙している内側端の上下両端面にセットされる。このパネル体の開閉機構に備えられている一方の転動体が一方のパネル体にセットされ、他方の転動体が他方のパネル体にセットされ、滑動体が両パネル体から一定の間隔を空けて配置されているガイドレールに当接する。また、一対のパネル体が閉扉された初期状態においては、両転動体は可動駒を一端寄りに偏心した位置に挟んでパネル体と同一方向に並んでいる。
【００１０】
そして、一方のパネル体が開扉され、他方のパネル体が閉扉した状態を維持する場合においては、一方のパネル体が他方のパネル体の方へ引っ張られる。このとき、この一方のパネル体にセットされている一方の転動体に回転力が加えられる。すると、他方のパネル体にセットされている他方の転動体を中心に可動駒と他方の転動体とが９０°公転する。このとき、可動駒が両転動体間を一端寄りから他端寄りに移動し、可動駒に取り付けられた滑動体も一端寄りから他端寄りへ移動する。
【００１１】
そして、滑動体は、ガイドレールに当接してスムーズに移動する。したがって、一方のパネル体が引っ張られることにより、この一方のパネル体は、ガイドレールから外れることなく、他方のパネル体の表面に沿ってスムーズにスライドして開扉する。そして、一方のパネル体を閉扉するときは、パネル体の開閉機構は前記と逆の方向に動作する。
【００１２】
さらに、一方のパネル体が閉扉した状態を維持し、他方のパネル体が開扉される場合においては、他方のパネル体が一方のパネル体の方へ引っ張られる。このとき、この他方のパネル体にセットされている他方の転動体に回転力が加えられ、可動駒が前記と同様、両転動体間を一端寄りから他端よりに移動し、可動駒に取り付けられた滑動体も一端寄りから他端寄りに移動する。そして、他方のパネル体が一方のパネル体の表面に沿ってスムーズにスライドして開扉する。
【００１３】
このように、各パネル体は、閉扉されている状態のパネル体の表面に沿ってスライドすることによって開扉する。逆に、開扉されたパネル体は、逆方向にスライドすることによって閉扉される。
【００１４】
また、前記本発明に係るパネル体の開閉機構において、前記可動駒の両側面には、ラックが形成され、かつ、前記一対の転動体には、該ラックと噛合するピニオンが形成されていることが好ましい。
【００１５】
このパネル体の開閉機構によれば、可動駒に形成されたラックと転動体に形成されたピニオンとが噛合することにより、転動体は可動駒上を滑ることなく転動し、また、可動駒は転動体間を滑ることなく往復動する。
【００１６】
また、前記本発明に係るパネル体の開閉機構において、前記連結体は、前記可動駒を移動可能に嵌め込む枠状の中間部と、該中間部から各転動体の方へ突出した膨出部と、該膨出部と前記転動体とを連結するピンとを備えていることが好ましい。
【００１７】
このパネル体の開閉機構によれば、枠状の中間部内に可動駒が移動可能に嵌め込まれることにより、可動駒は中間部内で安定して往復動し、中間部から各転動体の方へ突出した膨出部と転動体とがピンによって連結されることにより、一対の転動体は、可動駒を安定した状態で挟んで転動し、可動駒が往復動するようにすることができる。なお、このピンが転動体の回転軸となる。
【００１８】
また、前記本発明に係るパネル体の開閉機構において、前記滑動体は、前記可動駒の往復動方向に回転するローラであることが好ましい。
【００１９】
このパネル体の開閉機構によれば、滑動体が可動駒の往復動方向に回転するローラとされることにより、可動駒がガイドレール上をより円滑に移動し、パネル体をスムーズにスライドさせることができる。なお、ローラの回転軸を保持する軸受が可動駒から突出するように突設されることにより、ローラを可動駒に容易に取り付けることができる。
【００２０】
そして、本発明に係る引き違い戸は、前記いずれか一つのパネル体の開閉機構が、幅方向にスライドし、重なり合った状態と直列に並んだ状態とに開閉自在にスライドする一対のパネル体と、該一対のパネル体の上下各端面から一定の間隔を空けて配置されるガイドレールとに挟まれている引き違い戸であって、前記パネル体の開閉機構がスライドするパネル体に追従し、かつ、前記滑動体がガイドレールに当接しながら、前記転動体がパネル体の端面上を移動することができるようにセットされていることを特徴としている。
【００２１】
この引き違い戸によれば、本発明に係るパネル体の開閉機構の一方の転動体が一方のパネル体の端面上にセットされ、他方の転動体が他方のパネル体の端面上にセットされることにより、一対のパネル体がフラットな状態に閉扉された状態から、一方または他方のパネル体が引っ張られ、他方または一方のパネル体の表面に沿ってスムーズにスライドして開扉した状態とすることができる。
【００２２】
一方のパネル体が引っ張られると、パネル体の開閉機構に備えられた一方の転動体に回転力が加えられ、可動駒と連結体が他方の転動体を中心に公転し、一方のパネル体が他方のパネル体の表面と重なり得るように手前側に移動する。続いて一方のパネル体が引っ張られると、この一方のパネル体が他方のパネル体の表面に沿ってスライドする。このとき、パネル体の開閉機構はパネル体のスライドに追従して移動する。
【００２３】
したがって、他方の転動体が他方のパネル体の端面上を当接しながら移動する。また、パネル体の開閉機構に備えられた滑動体がガイドレールに当接しながら移動する。したがって、一方のパネル体はガイドレールから外れることなく、スムーズにスライドし、開扉することができる。
【００２４】
また、前記本発明に係る引き違い戸において、前記パネル体の端面には、前記転動体の回転軸に挿入されたピンが係入する直線状の溝が形成されていることが好ましい。
【００２５】
この引き違い戸によれば、転動体の回転軸に挿入されたピンが直線状の溝に係入しながら移動することにより、パネル体の開閉機構は、蛇行することなく直進する。したがって、パネル体は、安定した姿勢でスライドし、ふらつくことなく開閉するようにすることができる。
【００２６】
また、前記本発明に係る引き違い戸において、前記各転動体には、前記直線状の溝内に係入する突起が突設され、前記パネル体の端面には、該突起が係入し、かつ、転動体が公転することによって円弧状に移動する突起の軌跡と一致する円弧状の溝が形成されていることが好ましい。
【００２７】
この引き違い戸によれば、転動体に設けられた突起がパネル体の円弧状の溝内に係入することにより、開扉してスライドする一方のパネル体の円弧状の溝が突起を設けた転動体を牽引し、パネル体の開閉機構がこのスライドする一方のパネル体に追従して移動する。
【００２８】
また、前記本発明に係る引き違い戸において、前記ガイドレールには、前記パネル体の開閉機構に備えられた滑動体が係入する溝が形成されていることが好ましい。
【００２９】
この引き違い戸によれば、滑動体がガイドレールに形成された溝内を移動することにより、パネル体の開閉機構は、蛇行することなく直進する。したがって、パネル体は、安定した姿勢でスライドし、ふらつくことなく開閉ようにすることができる。
【００３０】
また、前記本発明に係る引き違い戸において、前記パネル体の外側端部には、ガイドレールに当接する滑動体が取り付けられていることが好ましい。
【００３１】
この引き違い戸によれば、移動するパネル体の先頭側は、パネル体の開閉機構に備えられた滑動体がガイドレールに当接し、移動するパネル体の後尾側は、パネル体の外側端部に取り付けられた滑動体がガイドレールに当接する。このように両方の滑動体がガイドレールに当接することにより、パネル体は安定した姿勢でスライドする。なお、ガイドレールに溝が形成されているときは、パネル体の外側端部に取り付けられた滑動体も、この溝内に係入して移動する。
【００３２】
また、前記本発明に係る引き違い戸において、前記パネル体の外側端部には、転動体を衝止するストッパが設けられていることが好ましい。
【００３３】
この引き違い戸によれば、パネル体の外側端部にストッパが設けられ、開扉されたパネル体の転動体がストッパに衝止することにより、完全に開扉された状態となる。すなわち、パネル体がスライドしすぎることがなく、したがって、パネル体の開閉機構は、パネル体の外周端部などに衝突して破損しないようにすることができる。
【００３４】
また、前記本発明に係る引き違い戸において、前記転動体には、円柱状の本体部から接線方向に突出した回り止め部が設けられ、前記ガイドレールには、該回り止め部を衝止する衝止部が設けられていることが好ましい。
【００３５】
この引き違い戸によれば、閉扉した状態の一方のパネル体に開扉方向と逆方向の力が加えられても、さらに、パネル体が開扉した状態から閉扉した状態とされる場合においても、転動体に設けられた周り止め部がガイドレールに設けられた衝止部に衝止することにより、このパネル体は開扉方向と逆方向にスライドしないようにすることができる。
【００３６】
また、前記本発明に係る引き違い戸において、前記パネル体の開閉機構は、パネル体および／またはガイドレールの周囲から突出した周壁部によって遮蔽されていることが好ましい。
【００３７】
この引き違い戸によれば、パネル体の開閉機構がパネル体および／またはガイドレールの周囲から突出した周壁部によって遮蔽されていることにより、引き違い戸の外観を良好にすることができ、また、パネル体の開閉機構に塵埃などが付着しにくいようにすることができる。
【発明の効果】
【００３８】
本発明に係るパネル体の開閉機構は、一定の間隔を空けて配置される一対の転動体と、該一対の転動体の転動によって往復動する可動駒と、前記一対の転動体を転動自在に連結する連結体と、前記可動駒に取り付けられた滑動体とを備えたものとされ、そして、本発明に係る引き違い戸は、本発明に係るパネル体の開閉機構が一対のパネル体とガイドレールとに挟まれたものとされる。
【００３９】
したがって、本発明によれば、一対のパネル体がフラットな状態で閉扉され、見栄えのよいデザインに仕上げた引き違い戸を提供することができる。さらに、パネル体の開閉機構には、ガイドレールに当接する滑動体が備えられていることにより、パネル体はスムーズにスライドし、パネル体の開閉操作を快適にすることができる。また、いずれのパネル体も他方のパネル体の表面側に沿ってスライドして開扉されるため、閉扉しにくくなるという不具合がなく、使い勝手を向上させることができる。
【発明を実施するための最良の形態】
【００４０】
本発明に係るパネル体の開閉機構（以下「開閉機構」という。）の一実施形態について図１から図４を参照しながら説明する。この開閉機構は、図１に示すように、一定の間隔を空けて配置される一対の転動体１０，１０と、この一対の転動体１０，１０の転動によって往復動する可動駒２０と、前記一対の転動体１０，１０を転動自在に連結する連結体３０と、前記可動駒２０に取り付けられた滑動体４０とが備えられていることを特徴としている。
【００４１】
前記各転動体１０は、偏平円柱形の本体部１１と、この本体部１１の接線方向に突出した回り止め部１２とが一体成形されたもので、本体部１１にはピニオンが形成されている。ピニオンは、回り止め部１２が突出していない側にのみ部分的に形成されている。また、本体部１１の中心には、貫通孔１３が形成されている。さらに、回り止め部１２の片面（図面において下面）には、例えば円柱状の突起１４が突設されている。
【００４２】
そして、可動駒２０は、枠状の摺動部２１と、この摺動部２１の一方の面（図面において下面）から両外向きに突出した一対の偏平半円柱状の台座部２２，２２と、摺動部２１の他方の面（図面において上面）に突出した軸受２３とが一体成形されたもので、各台座部２２，２２の両外側面には、前記ピニオンと噛合するラックが形成されている。この台座部２２と前記転動体１０とは、同じ厚さに形成されている。
【００４３】
また、軸受２３には、前記滑動体４０が取り付けられている。滑動体４０は、図示したように、ローラ４１と、このローラ４１の中心軸を貫通する回転軸４２とからなり、この回転軸４２が前記軸受２３に嵌め込まれ、ローラ４１が可動駒２０の往復動方向に回転するようにされている。ただし、滑動体４０は、図示しないが、ボールと、このボールを回転自在に保持するホルダーなどによって構成してもよい。滑動体４０がこのようなボールとホルダーとによって構成されるときは、可動駒２０には軸受２３は突設されない。
【００４４】
そして、連結体３０は、前記可動駒２０を移動可能に嵌め込む枠状の中間部３１と、この中間部３１から各転動体１０，１０の方へ突出した一対の膨出部３２，３２と、この各膨出部３２，３２と前記転動体１０，１０とを連結するピン３３，３３とを備えている。中間部３１の片面は、前記可動駒２０の台座部２２と接合し、可動駒２０が連結体３０から外れることなく、中間部３１内で往復動することができるようにされている。
【００４５】
そして、連結体３０の膨出部３２には、ピン３３の基端部を挿し込む貫通していない小穴３４が形成されている。また、ピン３３は、前記転動体１０の中心に形成された貫通孔１３内に挿入され、外端部が貫通孔１３から突出するようにされている。
【００４６】
このピン３３が連結体３０の膨出部３２の小穴３４から各転動体１０の貫通孔１３内に挿入されることにより、一対の転動体１０，１０の本体部１１に形成されたピニオンと可動駒２０の台座部２２に形成されたラックとが噛合し、可動駒２０の摺動部２１が連結体３０の中間部３１内に嵌入した状態に開閉機構が組み立てられる。
【００４７】
このような開閉機構は、転動体１０が転動することによって可動駒２０が往復動するようにされている。すなわち、初期状態においては図２に示すように、両転動体１０の回り止め部１２が連結体３０の膨出部３２の突出している方向に向き、可動駒２０が連結体３０の中間部３１の一端寄り（図面において左下側）に位置している。
【００４８】
そして、図３に示すように、一方（図面において右側）の転動体１０が固定された状態で、他方（図面において左側）の転動体１０に回転力（図面において反時計方向）が加えられると、この他方の転動体１０の本体部１１から可動駒２０の台座部２２に回転力が伝達される。転動体１０の本体部１１と可動駒２０の台座部２２とは、ピニオンとラックとによって噛合しているため、両者１１，２２は滑ることなく、回転力が伝達される。可動駒２０は、転動体１０から回転力が伝達されることによって、他端側（図面において左上側）に移動しつつ、他方の転動体１０および連結体３０とともに、一方の転動体１０の貫通孔１３に挿入されたピン３３を回転軸として公転する。
【００４９】
そして、図４に示すように、一方の転動体１０および連結体３０が初期状態から９０°公転すると、可動駒２０が連結体３０の中間部３１内を他端まで移動する。このとき、両転動体１０，１０の回り止め部１２，１２は、平行となり、連結体３０の膨出部３２の突出方向と直交する方向を向いている。
【００５０】
また、前記とは逆に、図２に示す初期状態から、他方（図面において左側）の転動体１０が固定された状態とし、一方（図面において右側）の転動体１０に回転力（図面において時計方向）が加えられると、一方の転動体１０および連結体３０が他方の転動体１０の貫通孔１３に挿入されたピン３３を回転軸として前記と逆方向に公転し、可動駒２０が一端寄りから他端寄りへ移動する。
【００５１】
ここで、このような開閉機構を備えた引き違い戸について図５ないし図１６を参照しながら説明する。この引き違い戸は、図５および図６に示すように、一対のパネル体５０ａ，５０ｂとガイドレール６０，６０とを備えている。一対のガイドレール６０，６０は、一対のパネル体５０ａ，５０ｂの上下両側に一定の間隔を空けて配置され、開閉機構はフラットな状態に閉扉した一対のパネル体５０ａ，５０ｂが近接して対峙する内側の上下両端面にセットされている。
【００５２】
そして、一対のパネル体５０ａ，５０ｂは、フラットな状態に閉扉した状態から、一方（図面において左側）のパネル体５０ａが、他方（図面において右側）のパネル体５０ｂの表面上に沿ってスライドし、あるいは他方のパネル体５０ｂが、一方のパネル体５０ａの表面上に沿ってスライドすることによって開扉する。
【００５３】
このパネル体５０ａ，５０ｂの内側端の側面は、ほとんど隙間がない状態からスムーズに開扉することができるように半円柱状に形成されている。そして、重なり合った状態のパネル体５０ａ，５０ｂの各中心線の間隔は、開閉機構に備えられた一対の転動体１０，１０の貫通孔１３，１３の間隔と一致している。
【００５４】
また、パネル体５０ａ，５０ｂの端面の中心線には、転動体１０の貫通孔１３から突出しているピン３３が係入する直線状の溝５２が形成されている。そして、パネル体５０ａ，５０ｂの端面には、直線状の溝５２の内側端部付近から分岐した円弧状の溝５６が形成されている。この円弧状の溝５６内には、転動体１０に突設された突起１４が係入する。したがって、円弧状の溝５６は、転動体１０が公転することによって円弧状に移動する突起１４の軌跡と一致するように形成されている。
【００５５】
そして、パネル体５０ａ，５０ｂの端面の外側端部には、直線状の溝５２の外端部に隣接して、転動体１０の回り止め部１２を衝止するストッパ５３が設けられている。このストッパ５３には、滑動体４０が取り付けられている。この滑動体４０は、キャスタのように任意の方向を向くことができるローラ４１によって構成されている。ただし、滑動体４０は、図示しないが、ホルダーに保持されたボールなどによって構成されてもよい。
【００５６】
いずれにしても、各パネル体５０ａ，５０ｂには、上下各端面の内側と外側に滑動体４０，４０が取り付けられるため、それぞれ合計４個の滑動体４０，４０…が備えられている。
【００５７】
さらに、各パネル体５０ａ，５０ｂの上下両端面の周囲には、転動体１０および可動駒２０の台座部２２の厚さと同じ高さの周壁部５４が突設されている。したがって、可動駒２０の一対の台座部２２，２２が各パネル体５０ａ，５０ｂの周壁部５４，５４を挟み、周壁部５４，５４の内周に沿って移動するようにされている。また、可動駒２０の摺動部２１および連結体３０の中間部３１が、周壁部５４上を移動するようにされている。
【００５８】
なお、各パネル体５０ａ，５０ｂの内側端の表面には、取っ手５５，５５が設けられている。この取っ手５５は、例えば窪み部に手が引っ掛かる手掛かり板を半分ほど被せた構成とされ、各パネル体５０ａ，５０ｂを手前に引き出しやすいようにされている。
【００５９】
一方、ガイドレール６０は、閉扉された２枚のパネル体５０ａ，５０ｂの長さと同じ長さで、開扉されて重なり合った２枚のパネル体５０ａ，５０ｂの幅と同じとされている。このガイドレール６０には、可動駒２０に取り付けられた滑動体４０およびパネル体に取り付けられた滑動体４０、すなわち各ローラ４１，４１が係入する溝６２が形成されている。
【００６０】
このようなガイドレール６０は、各パネル体５０ａ，５０ｂの上下両側に一定の間隔を空けて配置され、各ガイドレール６０，６０に形成された各溝６２，６２に各ローラ４１，４１が係入する。すなわち、各パネル体５０ａ，５０ｂの上側の端面に取り付けられた２個のローラ４１，４１が上側のガイドレール６０に形成された溝６２に係入し、下側の端面に取り付けられた２個のローラ４１，４１が下側のガイドレール６０に形成された溝６２に係入する。
【００６１】
この溝６２は、直線状部６２ａと、この直線状部６２ａの両端から同じ方向にカーブしている円弧状部６２ｂ，６２ｂとからなる。この溝６２は、２本が直列状に配列され、各内側の円弧状部６２ｂ，６２ｂの先端部同士が重なり合っている。
【００６２】
そして、ガイドレール６０の周囲にもパネル体の方へ突出した周壁部６４が設けられている。このガイドレール６０の周壁部６４とパネル体５０ａ，５０ｂの周壁部５４とによって、開閉機構は、閉塞され、塵埃などが付着しにくいようにされている。
【００６３】
また、パネル体５０ａ，５０ｂが閉扉された初期状態から転動体１０が反対方向に回転しないようにするため、各転動体１０，１０の回り止め部１２，１２を衝止する一対の衝止部６５，６５がガイドレール６０の周壁部６４に設けられている。そして、初期状態の連結体３０がガイドレール６０から突出することができるように、ガイドレール６０の周壁部６４には、一対の衝止部６５，６５間に切欠部６６が設けられている。
【００６４】
ここで、パネル体５０ａ，５０ｂの開閉動作について説明する。一対のパネル体５０ａ，５０ｂは、図６および図７に示すように、フラットな状態に閉扉している。このように閉扉しているときの開閉機構は、図２に示した初期状態にある。すなわち、可動駒２０を挟んでいる一対の転動体１０，１０は、各回り止め部１２，１２が各パネル体５０ａ，５０ｂの外端部の方向を向き、可動駒２０の摺動部２１が連結体３０の中間部３１の一端寄り（図面において手前側）に位置している。
【００６５】
このとき、可動駒２０の一対の台座部２２，２２は、両パネル体５０ａ，５０ｂの周壁部５４，５４を挟み、連結体３０の中間部３１の奥側がガイドレール６０の周壁部６４の切欠部６６から突出している。また、各パネル体５０ａ，５０ｂが奥側に押されたとしても、転動体１０の回り止め部１２がガイドレール６０に設けられた衝止部６５，６５に当接することにより、パネル体は、奥側へ移動しない。さらに、回転体１０に突設された突起１４は、円弧状の溝５６が直線状の溝５２と繋がっている始点に位置している。
【００６６】
そして、一方（図面において左側）のパネル体５０ａが手前側に引かれると、図３に示したように一方の転動体１０に回転力が加えられる。すると、図８および図９に示すように、一方の転動体１０および連結体３０が他方の転動体１０の貫通孔１３に挿入されて突出しているピン３３を回転軸として公転し、連結体３０が平面視で斜め向きとなる。このとき、一方の回転体１０に突設された突起１４は、円弧状の溝５６内を直線状の溝５２と繋がっている始点から円弧状に移動し、開閉機構の滑動体４０のローラ４１および一方のパネル体５０ａの外端面に取り付けられたローラ４１がガイドレール６０に形成された溝６２の円弧状部６２ｂ内を移動する。
【００６７】
続いて、一方のパネル体５０ａが手前側に引かれると、図１０および図１１に示すように、一方の転動体１０および連結体３０が他方の転動体１０の貫通孔１３に挿入されて突出しているピン３３を回転軸としてさらに公転し、連結体３０と転動体１０の両回り止め部１２，１２がパネル体５０ａ，５０ｂと同じ向きとなる。このとき、一方のパネル体５０ａの裏面が他方のパネル体５０ｂの表面に重なり得る状態となる。また、一方の回転体１０に突設された突起１４が円弧状の溝５６の終点に位置する。
【００６８】
続いて、一方のパネル体５０ａは、他方のパネル体５０ｂの方へ引かれることにより、他方のパネル体５０ｂの表面に沿ってスライドする。このとき、一方のパネル体５０ａに設けられた円弧状の溝５６の終点が回転体１０に突設された突起１４を牽引する状態となり、開閉機構もスライドしている一方のパネル体５０ａに追従する。
【００６９】
また、開閉機構に備えられたローラ４１と一方のパネル体５０ａの外側端面に取り付けられた上下合計４個のローラ４１，４１…が上下のガイドレール６０，６０の溝６２，６２内を移動し、他方の転動体１０を連結しているピン３３が他方のパネル体５０ｂの直線状の溝５２内を移動するため、一方のパネル体５０ａは、ふらつくことなく安定した姿勢でスライドする。
【００７０】
そして、一方のパネル体５０ａは、図１２および図１３に示すように完全に開扉される。このとき、他方の転動体１０を連結しているピン３３がパネル体の直線状の溝５２の外端部に到達し、転動体１０の回り止め部１２がストッパ５３に衝止されることにより、一方のパネル体５０ａはスライドしすぎることがなく、開閉機構は破損することがないようにされている。
【００７１】
このようにして開扉された一方のパネル体５０ａを閉扉するときは、この一方のパネル体５０ａを前記と逆方向（図面において左方向）に引く。このとき、開閉機構の一方の転動体１０を連結しているピン３３が一方のパネル体５０ａの直線状の溝５２の端部に押圧され、また、回転体１０に突設された突起１４が円弧状の溝５６の終点に押圧されるため、開閉機構はスライドする一方のパネル体５０ａに追従する。そして、一方のパネル体５０ａは、図１０および図１１に示す状態から図８および図９に示す状態を経由して、図６および図７に示す状態に閉扉される。
【００７２】
また、他方のパネル体５０ｂを開扉するときは、他方のパネル体５０ｂを手前側に引く。すると、図１４および図１５に示すように、他方の転動体１０および連結体３０が一方の転動体１０の貫通孔１３から突出しているピン３３を回転軸として公転し、他方のパネル体５０ｂの裏面が一方のパネル体５０ａの表面に重なり得る状態となる。続いて他方のパネル体５０ｂが引かれることにより、他方のパネル体５０ｂはスライドし、図１６に示すように完全に開扉する。
【００７３】
このとき、他方の転動体１０から突出している突起１４が他方のパネル体５０ｂに形成された円弧状の溝５６の終点で牽引され、開閉機構はスライドしている他方のパネル体５０ｂに追従する。また、開閉機構に備えられたローラ４１と他方のパネル体５０ｂの外側端面に取り付けられたローラ４１，４１…が上下のガイドレール６０，６０の溝６２，６２内を移動し、開閉機構の一方の転動体１０を連結しているピン３３が一方のパネル体５０ａの直線状の溝５２内を移動することによって、他方のパネル体５０ｂは、ふらつくことなく安定した姿勢で開扉される。他方のパネル体５０ｂを閉扉するときは、他方のパネル体５０ｂを反対方向に引く。
【００７４】
このように、いずれのパネル体５０ａ，５０ｂも開扉されると他方のパネル体５０ａ，５０ｂの表面側に位置し、取っ手５５が表面に露出していることから容易に閉扉することができる。
【００７５】
なお、本発明は、前記実施の形態に限定することなく、特許請求の範囲に記載された発明特定事項の範囲内において種々変更することができる。例えば、開閉機構は、可動駒２０の台座部２２と転動体１０の本体部１１は、ゴムや粗面その他の摩擦係数の大きな材質とすることにより、可動駒２０の台座部２２にラックを形成せず、転動体１０の本体部１１の外周面にピニオンを形成しないようにしてもよい。
【００７６】
さらに、開閉機構がスライドしているパネル体５０ａ，５０ｂに追従するようにするため、転動体１０に突設された突起１４が円弧状の溝５６内に係入するのではなく、方向転換した転動体１０を押圧するプッシャー（図示せず）を各パネル体５０ａ，５０ｂの端面に設けてもよい。
【産業上の利用可能性】
【００７７】
本発明に係るパネル体の開閉機構は、ドアや家具の扉などの引き違い戸、あるいはスライドして開閉する蓋を備えた容器などに有効に使用することができる。
【００７８】
また、本発明に係る引き違い戸は、玄関ドアや室内ドア、電車や自動車のドア、門、あういはクローゼットや食器棚、書庫などの家具などに有効に使用することができる。
【図面の簡単な説明】
【００７９】
【図１】本発明に係るパネル体の開閉機構の一実施形態を示す分解斜視図である。
【図２】本発明に係るパネル体の開閉機構の一実施形態を示す斜視図である。
【図３】本発明に係るパネル体の開閉機構の一実施形態を示す斜視図である。
【図４】本発明に係るパネル体の開閉機構の一実施形態を示す斜視図である。
【図５】本発明に係る引き違い戸の一実施形態を示す要部分解斜視図である。
【図６】本発明に係る引き違い戸の一実施形態を示す分解斜視図である。
【図７】本発明に係る引き違い戸の一実施形態を示す一部断面斜視図である。
【図８】本発明に係る引き違い戸の一実施形態を示す分解斜視図である。
【図９】本発明に係る引き違い戸の一実施形態を示す一部断面斜視図である。
【図１０】本発明に係る引き違い戸の一実施形態を示す分解斜視図である。
【図１１】本発明に係る引き違い戸の一実施形態を示す一部断面斜視図である。
【図１２】本発明に係る引き違い戸の一実施形態を示す分解斜視図である。
【図１３】本発明に係る引き違い戸の一実施形態を示す一部断面斜視図である。
【図１４】本発明に係る引き違い戸の一実施形態を示す分解斜視図である。
【図１５】本発明に係る引き違い戸の一実施形態を示す分解斜視図である。
【図１６】本発明に係る引き違い戸の一実施形態を示す分解斜視図である。
【符号の説明】
【００８０】
１０……転動体
１１……本体部
１２……回り止め部
１３……回転軸
１４……突起
２０……可動駒
３０……連結体
３１……中間部
３２……膨出部
３３……ピン
４０……滑動体
４１……ローラ
５０ａ…パネル体
５０ｂ…パネル体
５１……プッシャー
５２……直線状の溝
５３……ストッパ
５４……周壁部
５６……円弧状の溝
６０……ガイドレール
６２……溝
６４……周壁部
６５……衝止部
【図１】
2008075264.tif 000003
【図２】
2008075264.tif 000004
【図３】
2008075264.tif 000005
【図４】
2008075264.tif 000006
【図５】
2008075264.tif 000007
【図６】
2008075264.tif 000008
【図７】
2008075264.tif 000009
【図８】
2008075264.tif 000010
【図９】
2008075264.tif 000011
【図１０】
2008075264.tif 000012
【図１１】
2008075264.tif 000013
【図１２】
2008075264.tif 000014
【図１３】
2008075264.tif 000015
【図１４】
2008075264.tif 000016
【図１５】
2008075264.tif 000017
【図１６】
2008075264.tif 000018